(57)【要約】【課題】既設の鎖にも短時間の簡単な操作で装着可能な鎖用手指保護具を提供することを目的とする。【解決手段】保護具１００は、鎖１６０を構成している個々の鎖環１６２の内側空間にはめ込む。保護具１００は、鎖環１６２の平行部分１６４、１６６に沿って長辺を有する角丸長方形になっていて、内側空間に対して一方側および他方側のそれぞれからはめ込まれるオス部品１０２とメス部品１３０とを備える。オス部品１０２は、メス部品１３０と対向する面から突出したツメ１１６、１１８を有し、メス部品１３０は、オス部品１０２と対向する面にツメ１１６、１１８が嵌合する嵌合孔１３４、１３６を有する。オス部品１０２およびメス部品１３０は、ツメ１１６、１１８と嵌合孔１３４、１３６とを嵌合させることで、互いの縁で鎖環１６２を把持することを特徴とする。【選択図】図１
2019027481.tif 000002
【特許請求の範囲】
【請求項１】
鎖を構成している個々の鎖環の内側空間にはめ込む鎖用手指保護具であって、
当該鎖用手指保護具は、
前記鎖環の平行部分に沿って長辺を有する角丸長方形になっていて、前記内側空間に対して一方側および他方側のそれぞれからはめ込まれるオス部品とメス部品とを備え、
前記オス部品は、前記メス部品と対向する面から突出したツメを有し、
前記メス部品は、前記オス部品と対向する面に設けられ前記ツメが嵌合する嵌合孔を有し、
前記オス部品および前記メス部品は、前記ツメと前記嵌合孔とを嵌合させることで、互いの縁で前記鎖環を把持することを特徴とする鎖用手指保護具。
【請求項２】
当該鎖用手指保護具はさらに、前記オス部品とメス部品とをつなぐヒンジを備えていることを特徴とする請求項１に記載の鎖用手指保護具。
【請求項３】
前記嵌合孔は、挿し込まれた前記ツメが前記メス部品の外表面に露出不能な状態になっていることを特徴とする請求項１または２に記載の鎖用手指保護具。
【請求項４】
前記ツメは、前記角丸長方形の長辺それぞれに沿った２つの長手の範囲に設けられていることを特徴とする請求項１から３のいずれか１項に記載の鎖用手指保護具。
【請求項５】
前記オス部品および前記メス部品の外表面は、中央が膨らみ、そこから前記鎖環に向かって滑らかに連続する曲面が形成されていることを特徴とする請求項１から４のいずれか１項に記載の鎖用手指保護具。
【請求項６】
前記オス部品および前記メス部品は、外表面に滑り止めの凹凸が形成されていることを特徴とする請求項１から５のいずれか１項に記載の鎖用手指保護具。
【発明の詳細な説明】
【技術分野】
【０００１】
本発明は、鎖の隙間に手指等が挟まることを防ぐ鎖用手指保護具に関するものである。
【背景技術】
【０００２】
ブランコや吊り輪などに使われる遊具用の鎖など、人が手で直接に把持する鎖は日常的に存在する。鎖は、複数の鎖環が互い違いに連続してつながっていて、各鎖環の内側空間を両隣の鎖環が移動する。そのため、鎖には物が挟まることがあり、特に遊具用になると子供がわざと指を入れるおそれもある。そこで、例えば特許文献１に記載の隙間閉塞部材のように、子供の指などを守る保護具が各社から提案されている。
【先行技術文献】
【特許文献】
【０００３】
【特許文献１】特許第４４２２５１１号公報
【発明の概要】
【発明が解決しようとする課題】
【０００４】
しかしながら、特許文献１の隙間閉塞部材は、既設の鎖に対しても現場で装着することが可能であるものの、接着剤を準備する必要があり、相応の硬化時間も求められる。
【０００５】
本発明は、このような課題に鑑み、既設の鎖にも短時間の簡単な操作で装着可能な鎖用手指保護具を提供することを目的としている。
【課題を解決するための手段】
【０００６】
上記課題を解決するために、本発明にかかる鎖用手指保護具の代表的な構成は、鎖を構成している個々の鎖環の内側空間にはめ込む鎖用手指保護具であって、当該鎖用手指保護具は、鎖環の平行部分に沿って長辺を有する角丸長方形になっていて、内側空間に対して一方側および他方側のそれぞれからはめ込まれるオス部品とメス部品とを備え、オス部品は、メス部品と対向する面から突出したツメを有し、メス部品は、オス部品と対向する面にツメが嵌合する嵌合孔を有し、オス部品およびメス部品は、ツメと嵌合孔とを嵌合させることで、互いの縁で鎖環を把持することを特徴とする。
【０００７】
上記構成によれば、鎖環の両側からオス部品とメス部品をはめ込むだけの簡単な作業で、既設の鎖にも短時間で装着することができる。特に、全体が角丸長方形であるため、鎖環の内側空間を効率よく塞ぐことが可能である。また、オス部品とメス部品の互いに向かい合う面にツメと嵌合孔を設けているため、いたずらによって外されることも防止できる。
【０００８】
当該鎖用手指保護具はさらに、オス部品とメス部品とをつなぐヒンジを備えていてもよい。この構成によって、全体が１パーツになり、取扱いがより容易になる。
【０００９】
上記の嵌合孔は、挿し込まれたツメがメス部品の外表面に露出不能な状態になっていてもよい。この構成によって、いたずらによって外されることをより十全に防ぐことが可能になる。
【００１０】
上記のツメは、角丸長方形の長辺それぞれに沿った２つの長手の範囲に設けられていてもよい。長手の範囲から突出した壁状のツメであれば、はめ合いの長さが長いため剛性が高く、オス部品とメス部品とをより十全にはめ合せることが可能になる。
【００１１】
上記のオス部品およびメス部品の外表面は、中央が膨らみ、そこから鎖環に向かって滑らかに連続する曲面が形成されているとよい。オス部品およびメス部品の外表面は、鎖と共に人に把持されることもあるため、滑らかな曲面を形成することで異物感を減らし、鎖をより握りやすくすることが可能になる。
【００１２】
上記のオス部品およびメス部品は、外表面に滑り止めの凹凸が形成されていてもよい。凹凸を形成することで、人が鎖を把持したときに鎖を滑り難くすることが可能である。
【発明の効果】
【００１３】
本発明によれば、既設の鎖にも短時間の簡単な操作で装着可能な鎖用手指保護具を提供することが可能になる。
【図面の簡単な説明】
【００１４】
【図１】本発明の第１実施形態にかかる鎖用手指保護具を示した図である。
【図２】鎖用手指保護具を鎖に取り付ける様子を示した図である。
【図３】本発明の第２実施形態にかかる鎖用手指保護具を示した図である。
【図４】鎖用手指保護具を鎖に取り付ける様子を示した図である。
【図５】本発明の第３実施形態にかかる鎖用手指保護具を示した図である。
【図６】図５の鎖用手指保護具を鎖に取り付ける過程を示した図である。
【図７】本発明の第４実施形態にかかる鎖用手指保護具を示した図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（第１実施形態）
図１は、本発明の第１実施形態にかかる鎖用手指保護具（以下、保護具１００）を示した図である。図１（ａ）〜図１（ｅ）は保護具１００の一方側を構成するオス部品１０２の４面図であり、図１（ｆ）〜図１（ｊ）は保護具１００の他方側を構成するメス部品１３０の４面図である。これらオス部品１０２とメス部品１３０によって構成される当該保護具１００は、後述する図２（ｂ）に示すように、鎖環１６２の内側空間にはめ込まれて使用され、鎖環１６２に手や指が挟まるのを防止する。
【００１７】
図１（ａ）はオス部品１０２の平面図であり、オス部品１０２の外表面１０４を示している。オス部品１０２および後述するメス部品１３０は、共に樹脂材料から形成されている。オス部品１０２は、全体として角丸長方形に形成されている。長辺１０６、１０８は鎖環１６２（図２（ａ）参照）の平行部分１６４、１６６に沿っていて、この平行部分１６４、１６６を把持する。角丸部分１１０、１１２は、隣の鎖環１６８、１７０（図２（ｂ）参照）を避ける部分であり、隣の鎖環１６８、１７０がスムーズに動くように滑らかな円弧を描いている。
【００１８】
図１（ｂ）は図１（ａ）のオス部品１０２のＡ−Ａ断面図である。オス部品１０２は、メス部品１３０（図２（ａ）参照）と対向する底面１１４に、ツメ１１６、１１８を有している。ツメ１１６、１１８は、底面１１４のうち、オス部品１０２の長手方向の両端に計２つ設けられている。ツメ１１６、１１８は、底面１１４から垂直に突出し、先端に外側に向けたかえし１２０、１２２を有している。このかえし１２０、１２２を設ける方向に制限はなく、例えばかえし１２０、１２２は内側に向けることも可能である。
【００１９】
図１（ｃ）は図１（ａ）のオス部品１０２の正面図である。オス部品１０２は、長辺１０６、１０８から底面１１４にかけての傾斜した領域で鎖環１６２（図２（ａ）参照）を把持する。この領域の一部には、丸溝１２４、１２６も設けられている。鎖環１６２の表面からは溶接部が突出していることがあり、丸溝１２４、１２６はこの鎖環１６２の溶接部を避けるために設けられている。また、外表面１０４は、中央が膨らみ、そこから長辺１０６、１０８に向かって薄くなるよう、全体的に丸みを帯びた曲面になっている。この構成によって、鎖環１６２に取り付けたときに、鎖環１６２に向かって滑らかに連続する曲面が形成され、人が鎖１６０を握りやすくなる。
【００２０】
図１（ｄ）は図１（ｃ）のオス部品１０２の右側面図である。図１（ｄ）からも、底面１１４の近傍に丸溝１２４が設けられていること、および外表面１０４が全体的に丸みを帯びていることが確認できる。
【００２１】
図１（ｅ）は図１（ａ）のオス部品１０２の底面図である。底面１１４は平らであり、後述するメス部品１３０の底面１４６（図１（ｊ）参照）と面接触する。上述したように、底面１１４の長手方向の両端にはツメ１１６、１１８が設けられている。また、底面１１４の短手方向の両脇には丸溝１２４、１２６が設けられている。
【００２２】
図１（ｆ）はメス部品１３０の平面図であり、メス部品１３０の外表面１３２を示している。メス部品１３０は、嵌合孔１３４、１３６以外、上記説明したオス部品１０２と対になる構造を有している。メス部品１３０もまた、角丸長方形であり、長辺１３８、１４０は鎖環１６２の平行部分１６４、１６６に沿ってこれを把持し、角丸部分１４２、１４４は円弧を描いている。
【００２３】
図１（ｇ）は図１（ｆ）のメス部品１３０のＢ−Ｂ断面図である。メス部品１３０は、オス部品１０２のツメ１１６、１１８が嵌合する部位として、長方向の両端に嵌合孔１３４、１３６を有している。嵌合孔１３４、１３６は、メス部品１３０の底面１４６側から外表面１３２へと貫通している。嵌合孔１３４、１３６の角丸部分１４２、１４４側にはブリッジ１４８、１５０が形成されていて、図１（ｂ）のツメ１１６、１１８のかえし１２０、１２２が引っ掛かる構造になっている。
【００２４】
図１（ｈ）は図１（ｆ）のメス部品１３０の正面図である。メス部品１３０もまた、長辺１３８、１４０から底面１４６にかけての傾斜した領域で鎖環１６２（図２（ａ）参照）を把持し、鎖環１６２の溶接部を避ける丸溝１５２、１５４が設けられている。メス部品１３０の外表面１３２もまた、中央が膨らみ、そこから長辺１３８、１４０に向かって薄くなるよう、全体的に丸みを帯びた曲面になっている。
【００２５】
図１（ｉ）は図１（ｈ）のメス部品１３０の右側面図である。図１（ｉ）からも、底面１４６の近傍に丸溝１５２が設けられていること、および外表面１３２が全体的に丸みを帯びていることが確認できる。
【００２６】
図１（ｊ）は図１（ｆ）のメス部品１３０の底面図である。底面１４６は平らであり、オス部品１０２の底面１１４と面接触する。上述したように、底面１４６の長手方向の両端には嵌合孔１３４、１３６が設けられ、底面１４６の短手方向の両脇には丸溝１５２、１５４が設けられている。
【００２７】
図２は、鎖用手指保護具（保護具１００）を鎖１６０に取り付ける様子を示した図である。図２（ａ）はオス部品１０２とメス部品１３０の嵌合前の様子であり、図２（ｂ）はそれらの嵌合後の様子である。図２（ａ）に示すように、オス部品１０２とメス部品１３０は、鎖１６０を構成している個々の鎖環１６２の内部空間に対して、一方側および他方側のそれぞれからはめ込んで取り付ける。そして、互いのツメ１１６、１１８と嵌合孔１３４、１３６とを挿し込んで嵌合させる。これによって、図２（ｂ）に示すように、オス部品１０２およびメス部品１３０は、互いの長辺（長辺１０６等）から底面（平面１１４等）にかけての傾斜した領域で、鎖環１６２の平行部分１６４、１６６を両側から把持した状態となり、保護具１００の取付けが完了する。
【００２８】
以上のように、当該保護具１００は、鎖環１６２の両側からオス部品１０２とメス部品１３０をはめ込むだけの簡単な作業で、既設の鎖１６０にも短時間で装着することができる。特に、オス部品１０２とメス部品１３０の全体が角丸長方形であるため、鎖環１６２の内側空間を効率よく塞ぐことができる。また、オス部品１０２とメス部品１３０の互いに向かい合う底面１１４および底面１４６（図１（ｊ）参照）にツメ１１６、１１８と嵌合孔１３４、１３６を設けているため、いたずらによって外されることも防止できる。もし保護具１００を鎖環１６２から外す場合には、所定の治具でツメ１１６、１１８をたわませる必要があり、人の手でオス部品１０２とメス部品１３０とを解除するのは難しくなっている。また、ツメ１１６、１１８は、さらに太くして剛性を高めることも可能であり、これによって子供の手での解除を限りなく困難にすることも可能である。
【００２９】
上述したように、オス部品１０２の外表面１０４（図１（ｃ）参照）およびメス部品１３０の外表面１３２は、中央が膨らみ、そこから鎖環１６２に向かって滑らかに連続する曲面を形成している。これによって当該保護具１００は、鎖１６０と共に人に把持されたときに、滑らかな曲面によって異物感を減らし、鎖１６０をより握りやすくすることもできる。また、当該保護具１００は、個々の鎖環１６２ごとに取り付けることができるため、鎖１６０のうちの任意の範囲のみ、例えば人の手に触れる範囲のみに取り付けることも可能である。
【００３０】
当該保護具１００であれば、オス部品１０２とメス部品１３０とを鎖環１６２の両側からはめ込むだけで取り付けられるため、現場施工費を安価に済ませることができる。また製造コストの面でも、当該保護具１００は樹脂材料のみから形成されているため、金属材料を用いる場合のプレス加工やインサート成形に比べて非常に安価である。
【００３１】
なお、当該保護具１００は樹脂材料から形成されるため、着色剤を用いて色分けをすることができる。したがって、明るく目立つ色に成形することも可能である。また、蓄光材料で成形することも可能である。これらによって、例えば車止め用や進入禁止用の鎖など、雨天時や夜間でも目立つ色や素材にして、人に注意を促すことが可能になる。
【００３２】
（第２実施形態）
図３は、本発明の第２実施形態にかかる鎖用手指保護具（以下、保護具２００）を示した図である。以降の実施形態において、オス部品２０２とメス部品２３０の構成は、第１実施形態のオス部品１０２およびメス部品１３０と比べて、ツメや嵌合孔といった特徴的な部分が異なるのみのほぼ同じ構成である。そのため、既に説明した構成要素と同じものについては、同じ符号を付することによって説明を省略する。また、既に説明した構成要素と同じ名称のものについては、異なる符号を付していても、特に明記しない場合は第１実施形態と同じ機能を有するものとする。
【００３３】
図３（ａ）〜図３（ｅ）は保護具２００のオス部品２０２の４面図であり、図３（ｆ）〜図１（ｊ）は保護具２００のメス部品２３０の４面図である。図３（ａ）〜図３（ｊ）はすべて、図１（ａ）〜図１（ｊ）に対応して同じ方向から示している。本実施形態は、ツメ２１６、２１８と嵌合孔２３４、２３６の構造の点において、第１実施形態の保護具１００と異なっている。
【００３４】
図３（ｂ）は、図３（ａ）のオス部品２０２のＣ−Ｃ断面図である。ツメ２１６、２１８は、底面１１４の長手方向の両端設けられ、外側を向いたかえし２２０、２２２を有している。ツメ２１６、２１８は、図１（ｂ）のツメ１１６、１１８と比べて、長さがやや短くなっている。図３（ｃ）〜図３（ｅ）においては、ツメ２１６、２１８が短いこと以外は、図１（ｃ）〜図１（ｅ）のオス部品２０２と同様の構成である。
【００３５】
図３（ｆ）はメス部品２３０の平面図であり、メス部品２３０の外表面２３２を示している。メス部品２３０は、図１（ｆ）のメス部品１３０と異なり、嵌合孔２３４、２３６（図３（ｇ）参照）が外表面２３２側に貫通していない。
【００３６】
図３（ｇ）は、図３（ｆ）のメス部品２３０のＤ−Ｄ断面図である。嵌合孔２３４、２３６は、外表面２３２側には貫通せず、ブリッジ２４８、２５０の角丸部分１４２、１４４の側面のみに貫通している。図３（ｈ）は、図３（ｆ）のメス部品２３０の正面図である。ブリッジ２４８、２５０は、図１（ｈ）のブリッジ１４８、１５０に比べて細い構成になっている。図３（ｉ）〜図３（ｊ）においては、嵌合孔２３４、２３６とブリッジ２４８、２５０以外は、図１（ｉ）〜図１（ｊ）のメス部品１３０と同様の構成である。
【００３７】
図４は、鎖用手指保護具（保護具２００）を鎖に取り付ける様子を示した図である。図４（ａ）はオス部品２０２とメス部品２３０の嵌合前の様子であり、図４（ｂ）はそれらの嵌合後の様子である。図４（ａ）に示すように、オス部品２０２とメス部品２３０もまた、互いのツメ２１６、２１８と嵌合孔２３４、２３６とを挿し込んで嵌合させ、鎖環１６２に取り付ける。これによって、図４（ｂ）に示すように、保護具２００の取付けが完了する。
【００３８】
図４（ａ）に示しているように、嵌合孔２３４、２３６は、メス部品２３０の角丸部分１４２、１４４の側面のみに貫通している。すなわち、嵌合孔２３４、２３６は、外表面２３２側（図３（ｆ）参照）には貫通していないため、ツメ２１６、２１８は外表面２３２には露出しない状態になる。したがって、図４（ｂ）のように鎖環１６２に取り付けた後では、隣の鎖環１６８、１７０が干渉することで、ツメ２１６、２１８に外部から到達することが難しくなる。この構成であると、もし保護具２００を鎖環１６２から外す場合には先端の屈曲した治具などを用意する必要があり、子供の手で解除することは極めて困難である。したがって、当該保護具２００は、いたずらによって外されることがより効率よく防止できる。
【００３９】
（第３実施形態）
図５は、本発明の第３実施形態にかかる鎖用手指保護具（保護具３００）を示した図である。当該保護具３００は、オス部品３０２とメス部品３３０とがヒンジ３８０でつながれ、全体として１パーツになっていることに特徴がある。また、ツメ３１６、３１８や嵌合孔３３４の構成においても、上記実施形態と異なっている。
【００４０】
図５（ａ）は、保護具３００の平面図であり、オス部品３０２の外表面１０４およびメス部品３３０の外表面２３２を示している。オス部品３０２およびメス部品３３０は、共に角丸長方形であり、互いの角丸部分の一方側がヒンジ３８０でつながっている。
【００４１】
図５（ｂ）は、図５（ａ）のメス部品３３０のＥ−Ｅ断面図である。図５（ｂ）では、手前のメス部品３３０に対し、奥のオス部品３０２（図５（ｅ）参照）から後述するツメ３１６、３１８が見えている。手前のメス部品３３０は、ツメ３１６、３１８が嵌合する部位として、１つの大きな嵌合孔３３４を有している。嵌合孔３３４は、内部にツメ３１６、３１８のかえし３２０、３２２が引っ掛かる段差３４８、３５０が設けられていて、ツメ３１６、３１８が外部に露出しない構成となっている。
【００４２】
図５（ｃ）は、図５（ａ）の保護具３００の正面図である。ヒンジ３８０は、オス部品３０２およびメス部品３３０の底面１１４、１４６側に向かって凸のアーチを形成している。オス部品３０２のツメ３１６は、長辺１０６にそって長手の形状に設けられている。
【００４３】
図５（ｄ）は、図５（ｂ）の保護具３００の左側面図である。メス部品３３０は、図２（ｈ）のメス部品２３０とほぼ同様の構成であることが確認できる。
【００４４】
図５（ｅ）は、図５（ｂ）の保護具３００の右側面図である。オス部品３０２は、底面１１４の短手方向の両端に（すなわち長辺１０６にそって）計２つのツメ３１６、３１８を有している。ツメ３１６、３１８のかえし３２０、３２２は外側を向いている。ツメ３１６、３１８の構成以外、オス部品３０２は、図１（ｃ）のオス部品１０２とほぼ同様の構成である。
【００４５】
図５（ｆ）は、図５（ａ）の保護具３００の底面図である。ツメ３１６、３１８は、オス部品３０２の底面１４６の短手方向の両端にて、長辺１０６、１０８それぞれに沿った２つの長手の範囲に設けられている。メス部品３３０の嵌合孔３３４は、底面１４６の主要な範囲にわたって、ツメ３１６、３１８が挿し込めるよう、長方形に設けられている。
【００４６】
図５（ｇ）は、図５（ａ）の保護具３００のＦ−Ｆ断面図である。メス部品３３０において、嵌合孔３３４の内部では、ツメ３１８に対応して、段差３５０が長手の形状に設けられている。
【００４７】
図６は、図５の鎖用手指保護具（保護具３００）を鎖に取り付ける過程を示した図である。図６（ａ）に示すように、保護具３００は、オス部品３０２側またはメス部品３３０側から鎖環１６２の内部空間に対し、ヒンジ３８０に到達する程度にまで挿し込む。次に図６（ｂ）に示すように、オス部品３０２およびメス部品３３０の向きが鎖環１６２に沿うようにねじり、ヒンジ３８０を閉じてツメ３１６、３１８と嵌合孔３３４とを嵌合させる。これによって、図６（ｃ）に示すように、オス部品３０２およびメス部品３３０は、互いに鎖環１６２の平行部分１６４、１６６（図６（ａ）参照）を両側から把持した状態となり、保護具３００の取付けが完了する。
【００４８】
当該保護具３００は、鎖環１６２の内部空間に通した後、ヒンジ３８０を閉じるだけで、鎖環１６２の両側からオス部品３０２とメス部品３３０をはめ込むことができる。したがって、保護具３００においても、非常に簡単な作業で、既設の鎖１６０にも短時間で装着することができる。また、保護具３００は、ヒンジ３８０によってオス部品３０２とメス部品３３０とをつなぐことで、全体が１パーツになっているため、取扱い中に片方の部品を紛失するおそれがなく、取扱いがより容易になる。
【００４９】
図５（ｃ）等に示したように、本実施形態のオス部品３０２のツメ３１６、３１８は、長手の範囲から壁状に突出していて、はめ合いの長さが長いため剛性が高い。したがって、本実施形態であれば、オス部品３０２とメス部品３３０とをより十全にはめ合せることが可能になる。
【００５０】
また嵌合孔３３４は、嵌合したツメ３１６、３１８が外部に露出しない。この構成であると、子供の手で解除することは極めて困難である。したがって、当該保護具３００は、いたずらによって外されることがより効率よく防止できる。
【００５１】
なお、メス部品の変形例として、例えば図５（ｂ）において、嵌合孔３３４をメス部品３３０の幅方向（丸溝１５２、１５４側）に貫通させ、段差３４８、３５０をブリッジ状の構造にすることも可能である。この構成であると、ツメ３１６、３１８は丸溝１５２、１５４の付近から露出するものの、外表面２３２には露出しない。また、鎖環１６２に取り付けた後は、平行部分１６４、１６６（図６（ａ）参照）が干渉することで、ツメ３１６、３１８に外部から到達することが難しくなる。この構成においても、当該保護具を鎖環１６２から外す場合には先端の屈曲した治具などを用意する必要があるため、子供の手で解除することは極めて困難であり、いたずらを効率よく防止できる。
【００５２】
（第４実施形態）
図７は、本発明の第４実施形態にかかる鎖用手指保護具（以下、保護具４００）を示した図である。保護具４００では、オス部品４０２の外表面１０４に溝部４０４が設けられ、外表面１０４に滑り止めの凹凸が形成された状態となっている。この溝部は、図示省略している反対側のメス部品の外表面にも設けることが可能である。オス部品４０２およびメス部品（図示省略）の外表面に凹凸を形成することで、人が鎖を把持したときに鎖１６０を滑り難くし、鎖１６０をより取扱いやすくすることができる。
【００５３】
なお、溝部４０４は、上記説明した第１実施形態〜第３実施形態のいずれの保護具にも適用可能である。加えて、第３実施形態のヒンジ３８０もまた、第１実施形態または第２実施形態の保護具にも適用可能である。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５５】
本発明は、鎖の隙間に手指等が挟まることを防ぐ鎖用手指保護具に利用することができる。
【符号の説明】
【００５６】
１００…第１実施形態の保護具、１０２…第１実施形態のオス部品、１０４…オス部品の外表面、１０６、１０８…オス部品の長辺、１１０、１１２…オス部品の角丸部分、１１４…オス部品の底面、１１６、１１８…第１実施形態のツメ、１２０、１２２…ツメのかえし、１２４、１２６…オス部品の丸溝、１３０…第１実施形態のメス部品、１３２…メス部品の外表面、１３４、１３６…第１実施形態の嵌合孔、１３８、１４０…メス部品の長辺、１４２、１４４…メス部品の角丸部分、１４６…メス部品の底面、１４８、１５０…第１実施形態のブリッジ、１５２、１５４…メス部品の丸溝、１６０…鎖、１６２…鎖環、１６４、１６６…鎖環の平行部分、１６８、１７０…隣の鎖環、２００…第２実施形態の保護具、２０２…第２実施形態のオス部品、２１６、２１８…第２実施形態のツメ、２２０、２２２…第２実施形態のツメのかえし、２３０…第２実施形態のメス部品、２３２…メス部品の外表面、２３４、２３６…第２実施形態の嵌合孔、２４８、２５０…第２実施形態のブリッジ、３００…第３実施形態の保護具、３０２…第３実施形態のオス部品、３１６、３１８…第３実施形態のツメ、３２０、３２２…第３実施形態のツメのかえし、３３０…第３実施形態のメス部品、３３４…第３実施形態の嵌合孔、３４８、３５０…段差、３８０…ヒンジ、４００…第４実施形態の保護具、４０２…第４実施形態のオス部品、４０４…溝部
【図１】
2019027481.tif 000003
【図２】
2019027481.tif 000004
【図３】
2019027481.tif 000005
【図４】
2019027481.tif 000006
【図５】
2019027481.tif 000007
【図６】
2019027481.tif 000008
【図７】
2019027481.tif 000009